(57)【特許請求の範囲】
【請求項１】
上下に隣接する下部に位置した第一収納部および上部に位置した第二収納部と、前記第一収納部の上部と前記第二収納部の下部を接続する第一開口部を螺合により密封する中栓(14)と、前記第二収納部の上部に開口する第二開口部を回転可能に密封する注出キャップ(21)と、該注出キャップ(21)を内部に囲む筒状体からなり、回転により、破断可能な連結小片(36)を介して、前記第二収納部の上部に起立連設されたキャップカバー(34)とを有し、該キャップカバー(34)の回転を前記注出キャップ(21)に伝える手段と、該注出キャップ(21)と中栓(14)の間に、前記注出キャップ(21)の回転を中栓(14)に伝え、該中栓(14)が第一開口部から螺脱し、該第一開口部の密封を解除する回転伝達手段(K)とが設けられた混合分配容器において、
前記注出キャップ(21)を、頂壁に注出口(33)を形成したキャップ本体(22)と、開放操作用の指掛け片(32)を前記キャップ本体(22)の前方に突設し、下面に栓片(30)を垂下設して、閉じた状態で前記栓片(30)が注出口(33)に嵌入して密封する開閉蓋(29)と、前記キャップ本体(22)の後方に設けられて前記開閉蓋(29)をキャップ本体(22)に対して開閉回動可能に結合するヒンジ部(31)とで構成し、
前記キャップカバー(34)の回転を注出キャップ(21)に伝える手段を、前記ヒンジ部(31)および前記指掛け片(32)と、前記キャップカバー(34)の内周面に設けられ、前記ヒンジ部(31)および前記指掛け片(32)に、前記中栓(14)の螺合方向側から間近に位置して係止する突き当りリブ(35)とで構成し、
前記キャップカバー(34)の内周面に、前記中栓(14)の螺脱方向側から間近に位置して前記ヒンジ部(31)と前記指掛け片(32)を係止する逆転係止リブ(38)を設けたことを特徴とする混合分配容器。
【請求項２】
第一開口部を、第一及び第二収納部を区画する区画壁に形成した請求項１記載の混合分配容器。
【請求項３】
第一容体(1)と、該第一容体(1)の上端開口部に接続して該第一容体(1)と共に第一収納部を形成し、かつ上下に開口部を設けた第二収納部の下部開口部を前記第一収納部に連通させた第二容体(5)と、前記第二収納部の下部開口部を螺合により密封する中栓(14)と、前記第二収納部の上部開口部に回転可能に密封する注出キャップ(21)と、該注出キャップ(21)を内部に囲む筒状体からなり、回転により破断可能な連結小片(36)を介して、前記第二容体(5)の上部に起立連設されたキャップカバー(34)とを有し、該キャップカバー(34)の回転を注出キャップ(21)に伝える手段と、該注出キャップ(21)と中栓(14)の間に、前記注出キャップ(21)の回転を中栓(14)に伝え、該中栓(14)が第二収納部の下部開口部から螺脱し、該下部開口部の密封を解除する回転伝達手段(K)とが設けられた混合分配容器において、
前記注出キャップ(21)を、頂壁に注出口(33)を形成したキャップ本体(22)と、開放操作用の指掛け片(32)を前記キャップ本体(22)の前方に突設し、下面に栓片(30)を垂下設して、閉じた状態で前記栓片(30)が注出口(33)に嵌入して密封する開閉蓋(29)と、前記キャップ本体(22)の後方に設けられて前記開閉蓋(29)をキャップ本体(22)に対して開閉回動可能に結合するヒンジ部(31)とで構成し、
前記キャップカバー(34)の回転を注出キャップ(21)に伝える手段を、前記ヒンジ部(31)および前記指掛け片(32)と、前記キャップカバー(34)の内周面に設けられ、前記ヒンジ部(31)および前記指掛け片(32)に、前記中栓(14)の螺合方向側から間近に位置して係止する突き当りリブ(35)とで構成し、
前記キャップカバー(34)の内周面に、前記中栓(14)の螺脱方向側から間近に位置して前記ヒンジ部(31)と前記指掛け片(32)を係止する逆転係止リブ(38)が設けたことを特徴とする混合分配容器。
【請求項４】
回転伝達手段(K)を、一端を注出キャップ(21)又は中栓(14)のいずれか一方に固定し、他端を前記注出キャップ(21)または前記中栓(14)の他方に対して軸方向にスライド自在でかつ回転不能に結合させた棒状部材で構成した請求項１、２または３記載の混合分配容器。
【発明の詳細な説明】
【０００１】
【産業上の利用分野】
本発明は、二種の内容物を一定割合で密に分離して一体に収納保持し、使用時に両内容物を内部で混合させて注出使用する混合分配容器に関するものである。
【０００２】
【従来の技術】
一定割合の二種の内容物を、保存時には密に分離して一体に収納保持し、使用時に両内容物を内部で混合して注出使用すべく構成した混合分配容器が知られているが、この混合分配容器の従来技術の例として、特公昭４４−１４３９９号公報、実公平７−３４８５７号公報に示された容器がある。
【０００３】
特公昭４４−１４３９９号公報に示された技術は、排出ノズルを回すことによって内部容器を外して、この内部容器を外部容器内で開放し、もって二種の内容物を混合する構成であり、実公平７−３４８５７号公報に示された従来技術は、第一の内容物を収納する下位容体と第二の内容物を収納する上位容体とを、螺合結合した下位連結体と上位連結体とを介して液密に連結し、この下位連結体と上位連結体との螺脱による相互変位動作を利用することにより、下位容体と上位容体との間を遮断している蓋体を取外し、両内容物の混合を達成するように構成されている。
【０００４】
【発明が解決しようとする課題】
しかしながら、上記従来技術の内、特公昭４４−１４３９９号公報に示されたものにあっては、外部容器に凹部を設けたり、棒状部材を設ける必要があり、このため構造が複雑となり、また外部容器内に内部容器を設ける必要があるので、内部容器の大きさに大きな制限が加えられることになり、このため混合される二種の内容物の割合に制限が生じ易く、さらに内部容器を外部容器内で開放する構成であるため、二種の内容物が混ざり難いと云う問題があった。
【０００５】
また、上記従来技術の内、実公平７−３４８５７号公報に示されたものにあっては、上位容体と下位容体とが完全に上下に分離した構造であるので、両容体を変位可能に連結する上位連結体と下位連結体との間のシールを達成維持するのが難しく、かつ上位連結体と上位容体との間、および下位連結体と下位容体との間のシール達成維持に充分な注意を必要とするので、構成部材間のシール達成維持に苦慮し勝ちとなり、スクイズ時に、シールが不完全となり、内容物の浸みだしが起こり勝ちとなると云う問題があった。
【０００６】
さらに、上記両従来技術共に、二種の内容物の混合、非混合を問わずキャップを開けることにより、上位容体を開放することができるので、この上位容体中の内容物だけを注出する不良操作を起こし易い等、容器の安全と操作性の面から問題があった。
【０００７】
そこで、本発明は、上記した従来技術における問題点を解消すべく創案されたもので、密に分離収納した二種の内容物の混合を、容器の密封状態を維持したまま簡単かつ安全に達成することを技術的課題とし、もって混合前の容器の安全な取扱いを可能にし、二種の内容物の混合を安全にかつ簡単に達成すると共に、混合後の取扱いを簡便にすることを目的とする。
【０００８】
上記技術的課題を解決する本発明の内、請求項１記載の発明の手段は、
上下に隣接する下部に位置した第一収納部および上部に位置した第二収納部と、第一収納部の上部と第二収納部の下部を接続する第一開口部を螺合により密封する中栓と、第二収納部の上部に開口する第二開口部を回転可能に密封する注出キャップと、注出キャップを内部に囲む筒状体からなり、回転により、破断可能な連結小片を介して、第二収納部の上部に起立連設されたキャップカバーとを有し、キャップカバーの回転を注出キャップに伝える手段と、注出キャップと中栓の間に、注出キャップの回転を中栓に伝え、中栓が第一開口部から螺脱し、第一開口部の密封を解除する回転伝達手段とが設けられた混合分配容器であること、
注出キャップを、頂壁に注出口を形成したキャップ本体と、開放操作用の指掛け片をキャップ本体の前方に突設し、下面に栓片を垂下設して、閉じた状態で栓片が注出口に嵌入して密封する開閉蓋と、キャップ本体の後方に設けられて開閉蓋をキャップ本体に対して開閉回動可能に結合するヒンジ部とで構成したこと、
キャップカバーの回転を注出キャップに伝える手段を、ヒンジ部および指掛け片と、キャップカバーの内周面に設けられ、ヒンジ部および指掛け片に、中栓の螺合方向側から間近に位置して係止する突き当りリブとで構成したこと、
キャップカバーの内周面に、中栓の螺脱方向側から間近に位置してヒンジ部と指掛け片を係止する逆転係止リブが設けたこと、にある
【０００９】
請求項１の上記構成により、第一収納部に一定量の第一の内容物を収納し、第二収納部に一定量の第二の内容物を収納し、第一開口部を中栓で、第二開口部を注出キャップで密封することにより、第一の内容物と第二の内容物とは、外部に漏れることなく、分離された状態で一体的に収納保持されることになる。
【００１０】
第一、第二、両内容物を混合させる前の状態では、キャップカバーが注出キャップをカバーしているので、混合前に注出キャップを開ける等の不良操作により第二の内容物だけが注出されると云う不都合は発生しない。
【００１１】
この状態から、キャップカバーを中栓が螺脱する方向に回転させると、回転を伝える手段により、注出キャップが同方向に回転さらに、回転伝達手段により、注出キャップの回転が中栓に伝えられて、中栓が第一開口部から螺脱して、第一開口部の密封が開放される。
【００１２】
キャップカバーと第二収納部とを連結する連結小片は、第一開口部の密封が開放されたか否かを、破断の有無により識別できるので、不正開放防止のための機能と、キャップカバーの回転、取外し操作に際して、破断のための抵抗があるので、不良操作防止のための機能とを有する。
【００１３】
第一開口部が開放されると、第一収納部と第二収納部とが、この開放された第一開口部を通して連通するので、第一の内容物と第二の内容物とは混合する。
【００１４】
第一の内容物と第二の内容物との混合を達成したならば、必要に応じて注出キャップを操作して、混合内容物を注出して使用する。
【００１５】
第一収納部と第二収納部との組合せは、第一開口部を介して相互に連通可能な状態で、上下に位置すれば良いだけであるので、相互に大きさを規制し合うことがないと共に、組付き姿勢が制限されることがない。
【００１６】
また、両内容物の混合、すなわち中栓の開放は、内容物の注出を行うために、操作し易い構成で設けられているキャップカバーに対する回転操作で達成されるので、両内容物の混合操作が容易であると共に、両内容物を混合させる状態への切替えで、両収納部等のシール性が劣化する恐れは全くない。
また開閉蓋のヒンジ結合による紛失防止ができ、栓片による注出口の密封が可能になり、また指掛け片による開閉蓋の開放が容易になるので、安全で簡単な開閉操作を安定して得ることができる。
また注出キャップの指掛け片とヒンジ部とを利用してキャップカバーの内周面に単純な突片状の突き当りリブを設けただけの簡単な構成で、キャップカバーの回動変位を、注出キャップに確実に伝え、また掴み易いキャップカバーの回動操作により、注出キャップを回動させることができるので、注出キャップの回動が容易となる。
さらにカバーキャップは、第一開口部に螺合限まで組付いて螺合方向に回動不能となっている中栓に、空転不能に組付いている注出キャップに対して、螺合方向に空転不能に組付くので、螺合方向への回動が不能となり、これにより不良操作による、連結小片の切断を防止する。
【００１７】
請求項２記載の発明は、請求項１記載の発明における第一開口部を、第一及び第二収納部を区画する区画壁に形成したものである。
【００１８】
請求項２の上記構成により、第一開口部を、第一収納部と第二収納部とを区画する区画壁に形成したので、中栓を螺合着脱できる単純な開口構造とするだけで第一開口部を構成することができ、第一収納部と第二収納部との組合せの、密封遮断と連通達成のための構成が簡単となる。
【００１９】
請求項３記載の発明の手段は第一容体と、第一容体の上端開口部に接続して第一容体と共に第一収納部を形成し、かつ上下に開口部を設けた第二収納部の下部開口部を前記第一収納部に連通させた第二容体と、第二収納部の下部開口部を螺合により密封する中栓と、第二収納部の上部開口部に回転可能に密封する注出キャップと、注出キャップを内部に囲む筒状体からなり、回転により破断可能な連結小片を介して、第二容体の上部に起立連設されたキャップカバーとを有し、キャップカバーの回転を注出キャップに伝える手段と、注出キャップと中栓の間に、注出キャップの回転を中栓に伝え、中栓が第二収納部の下部開口部から螺脱し、下部開口部の密封を解除する回転伝達手段とが設けられた混合分配容器であること、
注出キャップを、頂壁に注出口を形成したキャップ本体と、開放操作用の指掛け片をキャップ本体の前方に突設し、下面に栓片を垂下設して、閉じた状態で栓片が注出口に嵌入して密封する開閉蓋と、キャップ本体の後方に設けられて開閉蓋をキャップ本体に対して開閉回動可能に結合するヒンジ部とで構成したこと、
キャップカバーの回転を注出キャップに伝える手段を、ヒンジ部および指掛け片と、キャップカバーの内周面に設けられ、ヒンジ部および指掛け片に、中栓の螺合方向側から間近に位置して係止する突き当りリブとで構成したこと、
キャップカバーの内周面に、中栓の螺脱方向側から間近に位置してヒンジ部と指掛け片を係止する逆転係止リブが設けたこと、にある。
【００２０】
請求項３の上記構成により、第二容体を、第一容体と組み合わさることにより第一収納部を形成し、それ単独で第二収納部を形成する構成としたので、第二容体の下部開口部をそのまま第一開口部として機能させることができる。
【００２１】
第二容体には、第一開口部である下部開口部と第二開口部である上部開口部とが一体に形成されるので、この第一開口部と第二開口部との位置関係を一定不変とすることができ、これにより回転伝達手段の構成を簡単化すると共に、回転伝達手段の動作を確実で安定したものとすることができる。
【００２２】
第一収納室の第一内容物と第二収納室の第二内容物を混合させる前の状態ではキャップカバーが注出キャップをカバーしているので、不良操作により第二の内容物だけが注出されると云う不都合は発生しない。
【００２３】
キャップカバーと第二収納部とを連結する連結小片は、第一開口部の密封が開放されたか否かを、破断の有無により識別できるので、不正開放防止のための機能と、キャップカバーの回転、取外し操作に際し、破断のための抵抗があるので、不良操作防止のための機能とを有する。
【００２５】
また開閉蓋のヒンジ結合による紛失防止ができ、栓片による注出口の密封が可能になり、また指掛け片による開閉蓋の開放が容易になるので、安全で簡単な開閉操作を安定して得ることができる。
【００２７】
また注出キャップの指掛け片とヒンジ部とを利用してキャップカバーの内周面に単純な突片状の突き当りリブを設けただけの簡単な構成で、キャップカバーの回動変位を、注出キャップに確実に伝え、また掴み易いキャップカバーの回動操作により、注出キャップを回動させることができるので、注出キャップの回動が容易となる。
【００２９】
さらにカバーキャップは、第一開口部に螺合限まで組付いて螺合方向に回動不能となっている中栓に、空転不能に組付いている注出キャップに対して、螺合方向に空転不能に組付くので、螺合方向への回動が不能となり、これにより不良操作による、連結小片の切断を防止する。
【００３０】
請求項４記載の発明の手段は、請求項１、２または３記載の発明における回転伝達手段を、その一端を注出キャップ又は中栓のいずれか一方に固定し、他端を注出キャップまたは中栓の他方に対して軸方向にスライド自在でかつ回転不能に結合させた棒状部材による構成とした、ことにある。
【００３１】
請求項４の上記構成により、回転伝達手段は、注出キャップまたは中栓の一方に固定され、他方に対してスライド自在かつ回転不能な棒状構造となっているので、中栓の螺脱動作に伴う中栓と注出キャップとの相対的な離反変位に対して、中栓と注出キャップとの空転不能な結合を確実に保持することになり、これにより注出キャップの回転操作による中栓の螺脱を確実に得ることができる。
【００３２】
【発明の実施の形態】
以下、本発明の一実施形態を、図面を参照しながら説明する。
図1ないし図９は、本発明の一実施形態を示すもので、第一容体１は、壜体状となって第一の内容物Ａの収納部である第一収納部を形成し、スクイズ性を発揮する合成樹脂製のブロー成形品で、有底筒状の胴部の上端に、肩部を介して、外周面にアンダーカット結合用の周突条を設けた口筒部２を起立連設し、肩部の胴部との連設部分に形成された、短円筒状をした肩段部３の外周面の四箇所に縦条状の係止突条４を突設している。
【００３３】
第二容体５は、第一容体１の口筒部２内にその略下半分を密嵌入させ、内部を第二の内容物Ｂの収納部である第二収納部とした内筒６と、口筒部２外に位置する内筒６の外周面に外鍔状に周設された肩壁９の下面途中から垂下設された嵌着筒１０と肩壁９の周端から垂下設された外筒１１と、肩壁９の上面周端上の四箇所に設けた、連結小片３６を介して円筒状に起立連接した、キャップカバー３４から構成されている。
【００３４】
下端開口部を第一開口部とし、上端開口部を第二開口部とした内筒６は、上端部外周面にアンダーカット結合用の周突条を設け、口筒部２内に密嵌入する下半分との境界部の外周面部分に、口筒部２の開口端面に密に当接するシール段部７を形成して、内筒６の口筒部２に対する密な組付き状態を高めると共に、嵌入組付き限を設定し、下端部の内周面に、ネジ部８を刻設して構成されている。
【００３５】
嵌着筒１０は、口筒部２の外径と略等しい内径を有し、その内周面下端部に、口筒部２のアンダーカット結合用の周突条とアンダーカット結合する周突条を設けており、また嵌着筒１０の外側に位置して、下方に緩やかに拡径した円筒状の外筒１１には短円筒状に構成した下端部である結合筒片１２の内周面の四箇所に、第一容体１の係止突条４に周方向から係止する係止縦条１３を設けている。
【００３６】
すなわち、第二容体５は、内筒６の下半分の口筒部２に対する密嵌入と、シール段部７の口筒部２の開口端面に対する密接触とにより、第一容体１に対する密な組付きを達成し、嵌着筒１０の口筒部２に対するアンダーカット結合により第一容体１に対する離脱不能な組付きを達成し、外筒１１の係止縦条１３と第一容体１の係止突条４との係止により、第一容体に対する回動不能な組付けを達成している。
【００３７】
中栓１４は、第二容体５の内筒６の下端開口部内に密嵌入する密嵌筒部１５と、この密嵌筒部１５の上端から内鍔状の頂板１６を連設し、この頂板１６の上面外周端部から外周面にネジを刻設したネジ筒１７を立設すると共に、頂板１６の内周端から有頂短円筒状の押さえ筒片２０を立設した構成となっている。
【００３８】
密嵌筒部１５は、その下端に、内筒６内への嵌入限を設定する外鍔を周設した短円筒形状をしており、ネジ筒１７は、内筒６のネジ部８に螺合するネジを外周面に刻設し、内周面に等中心角毎に四つの突き当たり突条１９（図４参照）を突設している。
【００３９】
注出キャップ２１は、中足片２６を垂下設した有頂円筒状のキャップ本体２２と、このキャップ本体２２に形成された注出口３３を開閉すべく、キャップ本体２２にヒンジ部３１により開閉回動可能に結合された開閉蓋２９とから構成されている。（図５参照）
【００４０】
キャップ本体２２は、有頂円筒体であり、第二容体５の内筒６の上端開口部に外嵌する嵌装筒２３を、この内筒６にアンダーカット結合させることにより離脱不能ではあるが、回転可能に組付き、頂壁の下面周縁部に垂下設したシール内筒２４を内筒６開口部内に密嵌入させると共に、頂壁の下面周端部を内筒６の開口端面に密接させることにより、内筒６に密に組付くように構成している。
【００４１】
キャップ本体２２は、頂壁の中央部に開設した注出口３３の開口縁から立設した注出筒２５を上方にラッパ状に拡径した筒状とすることにより、内容物の注出形態を良好なものとするようにしている。
【００４２】
キャップ本体２２の頂壁下面から、注出口３３を内部に位置させて縦長の円筒状に垂下設された中足片２６は、その下端部を中栓１４のネジ筒１７と押さえ筒片２０との間に嵌入させ、このネジ筒１７の内周面に突設した、突き当たり突条１９に周方向から突き当たる四つの突き当たり縦溝２７（図４参照）をその外周面に設けて、回転伝達手段Ｋを構成している。
【００４３】
開閉蓋２９は、伏した深皿形状をしていて、その下面に注出筒２５に密嵌入する栓片３０を垂下設すると共に、ヒンジ部３１によりキャップ本体２２と連結された部分とは反対側、すなわち前側部分には、開放操作用の指掛け片３２を前方に突設している。（図５参照）
【００４４】
第二容体５における肩壁９の上面周端部上の四箇所に設けた連結小片３６を介して起立連設されたキャップカバー３４は、第二容体５の肩壁９の外周径と略等しい径と、嵌装筒２３と開閉蓋２９を合わせた高さと略等しい高さとを有した円筒体であり、外周面に多数の縦条状のローレット３７を刻設している。
【００４５】
キャップカバー３４の内周面には、指掛け片３２とヒンジ部３１に、中栓１４の螺合方向側から間近に位置する二つの突き当たりリブ３５が付設され、この二つの突き当たりリブ３５と、注出キャップ２１のヒンジ部３１および指掛け片３２とで、キャップカバー３４の中栓１４の螺脱方向への回動を注出キャップ２１に伝える手段を構成している。（図２参照）
【００４６】
また、キャップカバー３４の内周面には、指掛け片３２とヒンジ部３１に、中栓１４の螺脱方向側から間近に位置する二つの逆転係止リブ３８が付設されており、中栓１４が、第二容体５の内筒６下端に螺合限まで組付いて、螺合方向への回動が不能となっているので、注出キャップ２１も螺合方向への回動が不能であり、このため逆転係止リブ３８の作用により、キャップカバー３４は、中栓１４の螺合方向への回動が不能となって、連結小片３６の不正破断の発生を防止している。（図２参照）
【００４７】
次に、図１ないし図９に示した実施例の組立て手順の一例を、図面を参照しながら説明する。
【００４８】
第二容体５の内筒６下端に中栓１４を密に螺合限まで螺合組付けし、この中栓１４で下端開口部の閉鎖された内筒６内に一定量の第二の内容物Ｂを収納し、次いで内筒６に注出キャップ２１を押し込み（図６参照）、アンダーカット結合し、これにより第二の内容物Ｂの内筒６内への密封収納を達成する。
【００４９】
この注出キャップ２１の内筒６に対するアンダーカット組付けに際して、中栓１４の突き当たり突条１９と、注出キャップ２１の中足片２６の下端部に設けた突き当たり縦溝２７との位置合せと、キャップカバー３４の内周面に付設した突き当りリブ３５、および逆転係止リブ３８と、注出キャップ２１の指掛け片３２、およびヒンジ部３１との位置合せとを考慮して、注出キャップ２１の組付けが円滑に行われるようにすることは云うまでもない。
【００５０】
次に、第二の内容物Ｂを密封収納した第二容体５と中栓１４と注出キャップ２１との組合せ物を、一定量の第一の内容物Ａを収納した第一容体１に上方から押し込んで（図７参照）、第二容体５の内筒６を口筒部２内に密嵌入させると共に、嵌着筒１０を口筒部２にアンダーカット結合させ、外筒１１の係止縦条１３を第一容体１の係止突条４に係止させることにより、第一の内容物Ａと第二の内容物Ｂを密に分離して一体に密閉収納した、組立て完了状態(図８参照)となる。
【００５１】
この状態で、外筒１１の係止縦条１３と係止突条４との係止により、第一容体１と第二容体５が回動変位不能に組付いている。
【００５２】
この図８に示した組立て完了状態、すなわち使用前の格納状態から、使用状態への切り換えは、第一容体１もしくは第二容体５に対して、キャップカバー３４を、連結小片３６を破断しながら、中栓の螺脱方向に回動させ、この回動変位を、突き当たりリブ３５から、注出キャップ２１のヒンジ部３１および指掛け片３２に伝え、注出キャップ２１を、同方向に回動させ、さらに回転伝達手段Ｋを介して、中栓１４を第二容体５の内筒６から螺脱させる(図９参照)ことにより達成される。
【００５３】
組立て完了の状態では、キャップカバー３４は連結小片３６を介して肩壁９の上面と連結しており、また注出キャップ２１が、略開閉蓋２９の頂面の高さまで、キャップカバー３４でカバーされ、指が、指掛け片３２に届かない構造になっているので、不良操作によるキャップカバー３４の回動、開閉蓋２９の開放ができ難く、内容物Ｂが混合前に外に出ることを防ぐことができる。
【００５４】
また、組立て完了の状態では、中栓１４の螺合が、第二容体５の内筒６下端の螺合限まで達しているので、キャップカバー３４を、中栓の螺合方向に回動させる不良操作は、逆転係止リブ３８の作用により防止することができ、誤って連結小片３６を破断することはない。
【００５５】
また、混合後にはキャップカバー３４は除去されているが、開閉蓋２９を閉めておけば、栓片３０により注出口３３が密閉されるので、混合物が外部に出ることもない。
【００５６】
【発明の効果】
本発明は、上記した構成としたので、以下に示す効果を奏する。
請求項１記載の発明は、キャップカバーを回動することにより、上下に位置する第一収納部と第二収納部とを連結する第一開口部を密封する中栓を螺脱開放する構成としたので、両内容物の混合を、特別な操作を要することなく簡単にかつ確実に達成でき、また両内容物の混合達成のために、容器のシール性が劣化することもなく、安全に混合を達成することができる。
【００５７】
第一、第二収納部の、両内容物を混合させる前の状態では、キャップカバーが注出キャップをカバーしており、またキャップカバーを回す際に連結小片を破断するための抵抗があるので、不良操作により第二の内容物だけが注出されると云う不都合をなくすことができる。
【００５８】
連結小片の有無および切断時の抵抗より、不正開放の有無が識別でき、また不良操作を防止することができる。
【００５９】
第一収納部と第二収納部とは、その位置関係が、第一収納部に対して第二収納部が上位に位置すれば良い（ただし、この第一収納部と第二収納部との相互位置関係は、二種の内容物を混合させる時以外は特定されることはなく、上下、左右の何れであっても良い）だけであるので、第一収納部に組付くために第二収納部がその容量を規制されると云うことは全くなく、もって混合される両内容物の割合を自由に設定することができる。
また開閉蓋のヒンジ結合による紛失防止ができ、栓片による注出口の密封が可能になり、また指掛け片による開閉蓋の開放が容易になるので、安全で簡単な開閉操作を安定して得ることができる。
またキャップカバーの回転を注出キャップに伝える手段を、簡単で確実な構成とすることができ、これによりキャップカバーの構造を簡単化することができ、また掴み易いキャップカバーを利用して注出キャップを回転させることができるので、注出キャップの回転操作が容易となる。
さらにキャップカバーの中栓の螺脱方向への回転を防ぐ構成としたので、これにより不良操作による連結小片の破断を防止することができ、不正開封防止機能部分の安全性を高めることができる。
【００６０】
請求項２記載の発明は、第一収納部と第二収納部とを区画する区画壁に第一開口部を形成したので、第一開口部を形成するだけで、第一開口部に、第一収納部と第二収納部とを連通すると云う重要な機能を必然的に付与することができる。
【００６１】
請求項３記載の発明は、キャップカバーを回動することにより、第二収納部の下部開口部を密封する中栓を螺脱開放する構成としたので、両内容物の混合を、特別な操作を要することなく簡単にかつ確実に達成でき、また両内容物の混合達成のために、容器のシール性が劣化することもなく、安全に混合を達成することができる。
【００６２】
第一容体と、第二収納部を形成している第二容体との組合せにより第一収納部を形成するので、第二収納部との適正な位置関係を確保した状態で、第一収納部を自由に形成することができ、もって容器全体の組合せ構成を広範囲に選択することができる。
【００６３】
また、第一開口部と第二開口部とを、一つの第二容体に一体に形成したので、第一開口部と第二開口部との上下位置関係を一定して不動にそして好適に得ることができ、もって回転伝達手段の構造を簡単なものとすることが可能となると共に、回転伝達手段に安定して確実な動作を発揮させることができる。
【００６４】
第一、第二収納部の、両内容物を混合させる前の状態では、キャップカバーが注出キャップをカバーしおり、またキャップカバーを回す際に連結小片を破断するための抵抗があるので、不良操作により第二の内容物だけが注出されると云う不都合をなくすことができる。
【００６５】
連結小片の有無および切断時の抵抗より不正開放の有無が識別でき、また不良操作を防止することができる。
【００６６】
また、開閉蓋のヒンジ結合による紛失防止ができ、栓片による注出口の密封が可能になり、また指掛け片による開閉蓋の開放が容易になるので、安全で簡単な開閉操作を安定して得ることができる。
【００６７】
またキャップカバーの回転を注出キャップに伝える手段を、簡単で確実な構成とすることができ、これによりキャップカバーの構造を簡単化することができ、また掴み易いキャップカバーを利用して注出キャップを回転させることができるので、注出キャップの回転操作が容易となる。
【００６８】
さらにキャップカバーの中栓の螺脱方向への回転を防ぐ構成としたので、これにより不良操作による連結小片の破断を防止することができ、不正開封防止機能部分の安全性を高めることができる。
【００６９】
請求項４記載の発明は、確実で安定した動作を発揮する回転伝達手段を、簡単な構成とすることができ、これにより注出キャップと中栓の組合せ構造を簡単化することができる。
【図面の簡単な説明】
【図１】本発明の一実施例を示す、半縦断全体正面図。
【図２】図１に示す実施例の平面図
【図３】図１に示す実施例の、要部拡大半縦断正面図。
【図４】図１に示した実施例の、回転伝達手段である中栓のネジ筒と注出キャップの中足片との関係を示す平断面図。
【図５】図１に示した実施例の、注出キャップ部の状態を示す、縦断側面図。
【図６】図１に示した実施例の、第二の内容物の収納状態を示す、半縦断した説明図。
【図７】図１に示した実施例の、第一の内容物と第二の内容物の収納状態を示す、半縦断した説明図。
【図８】図１に示した実施例の、両内容物を収納を完了した状態を示す、半縦断した説明図。
【図９】図１に示した実施例の、図８の図示状態からの使用状態への切り換え状態を示す半縦断した説明図。
【符号の説明】
１  ；  第一容体
２  ；  口筒部
３  ；  肩段部
４  ；  係止突条
５  ；  第二容体
６  ；  内筒
７  ；  シール段部
８  ；  ネジ部
９  ；  肩壁
１０；  嵌着筒
１１；  外筒
１２；  結合筒片
１３；  係止縦条
１４；  中栓
１５；  密嵌筒部
１６；  頂板
１７；  ネジ筒
１９；  突き当たり突条
２０；  押さえ筒片
２１；  注出キャップ
２２；  キャップ本体
２３；  嵌装筒
２４；  シール内筒
２５；  注出筒
２６；  中足片
２７；  突き当たり縦溝
２９；  開閉蓋
３０；  栓片
３１；  ヒンジ部
３２；  指掛け片
３３；  注出口
３４；  キャップカバー
３５；  突き当りリブ
３６；  連結小片
３７；  ローレット
３８；  逆転係止リブ
Ｋ  ；  回転伝達手段
Ａ  ；  第一の内容物
Ｂ  ；  第二の内容物
【図１】
0004697621.tif 000002
【図２】
0004697621.tif 000003
【図３】
0004697621.tif 000004
【図４】
0004697621.tif 000005
【図５】
0004697621.tif 000006
【図６】
0004697621.tif 000007
【図７】
0004697621.tif 000008
【図８】
0004697621.tif 000009
【図９】
0004697621.tif 000010